(57)【要約】【課題】サーバそれぞれがまとめて筐体に収容されない状態でも、これらのサーバとキーボードやマウスなどの入出力デバイスとの配線を簡素化することのできるサーバ監視操作システムを得ること。【解決手段】サーバ監視操作システム１００は、第１〜第８のサーバ１０１1〜１０１8の監視操作用の１組のモニタ１０４、キーボード１０５およびマウス１０６ならびにこれらを接続する統合管理モジュール１０３を収容したラック１０２と、統合管理モジュール１０３にＬＡＮケーブル１０７を介して接続されたクライアントコンピュータ１０９からなる。統合管理モジュール１０３は、モニタ１０４等の入出力デバイスと第１〜第８のサーバ１０１1〜１０１8の間で信号の集約や分配を行うので、各種ケーブルの配線が簡素化する。また、ラック１０２にクライアントコンピュータ１０８を接続することで、監視操作が二重化する。【選択図】図１
2008129869.tif 000002
【特許請求の範囲】
【請求項１】
１つのラック内に収容された複数のサーバと、
前記ラック内に収容され、前記複数のサーバの監視や操作を行うための１組の入出力デバイスと、
前記複数のサーバと前記１組の入出力デバイスの間に接続され、前記複数のサーバから前記１組の入出力デバイスへの信号の集約と前記１組の入出力デバイスから前記複数のサーバへの信号の分配を行う統合管理手段
とを具備することを特徴とするサーバ監視操作システム。
【請求項２】
１つのラック内に収容された複数のサーバと、
前記ラック内に収容され、前記複数のサーバの監視や操作を行うための１組の入出力デバイスと、
前記ラック内で前記複数のサーバとは別に配置され、自装置および前記複数のサーバから前記１組の入出力デバイスへの信号の集約と前記１組の入出力デバイスから自装置および前記複数のサーバへの信号の分配を行う統合管理手段を内蔵した統合管理手段内蔵サーバ
とを具備することを特徴とするサーバ監視操作システム。
【請求項３】
１つのラック内に収容された複数のサーバと、
前記ラック内に配置され、前記複数のサーバを監視したり操作するための１組の入出力デバイスと、前記複数のサーバと前記１組の入出力デバイスの間に接続され、前記複数のサーバから前記１組の入出力デバイスへの信号の集約と前記１組の入出力デバイスから前記複数のサーバへの信号の分配を行う統合管理手段とを備えたコンソールドロア
とを具備することを特徴とするサーバ監視操作システム。
【請求項４】
前記ラック外に配置され前記統合管理手段と通信手段で接続されて、前記複数のサーバの監視や操作を行う外部操作監視手段を具備することを特徴とする請求項１〜請求項３いずれかに記載のサーバ監視操作システム。
【請求項５】
前記複数のサーバと前記統合管理手段は、共に動作状態でこれらの間のケーブルの抜き差しが可能なインターフェース回路を具備することを特徴とする請求項１〜請求項３いずれかに記載のサーバ監視操作システム。
【請求項６】
前記統合管理手段は、前記複数のサーバ内部の動作状態の監視や制御を行うコントローラとしてのＢＭＣコントローラを具備することを特徴とする請求項１記載のサーバ監視操作システム。
【発明の詳細な説明】
【技術分野】
【０００１】
本発明は、複数のサーバを備えたサーバ監視操作システムに係わり、特にモニタやキーボードといった入出力デバイスを用いて複数のサーバの監視や操作を行うサーバ監視操作システムに関する。
【背景技術】
【０００２】
複数のサーバをラックに集中的に配置するようにしたサーバ監視操作システムでは、監視や操作のために、これらのサーバのそれぞれに切替器を介して、キーボード、マウスおよびモニタといった入出力デバイスを接続するようになっている。ところが、これらのサーバとモニタ切替器等の入出力デバイスの切替器の間をそれぞれインターフェースケーブルで接続する必要があり、サーバの数が多いとラック内の配線が特に煩雑になるという問題がある。
【０００３】
そこで、複数のブレードサーバを使用するサーバ監視操作システムでは、これらのブレードサーバとコンソール基板を同一の筐体内に収容することが第１の提案として提案されている（たとえば特許文献１参照）。この第１の提案では、筐体内に共通線を配置して、それぞれのブレードサーバとコンソール基板をこれに接続している。ここでコンソール基板とは、キーボードやマウスなどの入力デバイスおよびモニタなどの出力デバイスを接続するための信号処理装置である。この第１の提案によれば、筐体内に設けられたコンソール基板にキーボード、マウスおよびモニタといった入出力デバイスを１組接続すれば、それぞれのブレードサーバの情報をモニタに表示したり、キーボードやマウスを用いてそれぞれのブレードサーバを操作することができる。しかも、入出力デバイスの配線はシンプルになる。
【０００４】
また、一対のシステム管理サーバと一対の管理スイッチを同一筐体内に配置することが第２の提案として提案されている（たとえば特許文献２参照）。この第２の提案では、筐体内にブレードサーバを複数配置し、一対の管理スイッチを介して一対のシステム管理サーバと通信させる。各システム管理サーバはこの筐体の外に配置された管理コンソールや同じく外部の管理ネットワークと接続されている。この第２の提案でも、筐体外の配線はシンプルになる。
【特許文献１】特開２００５−１４９１００号公報（第００３０段落、図２）
【特許文献２】特表２００５−５０９２１３号公報（第０１６２段落、図１７）
【発明の開示】
【発明が解決しようとする課題】
【０００５】
以上説明した第１のおよび第２の提案では、共にサーバを複数格納した１つの筐体内部に特別の装置を配置し、この装置を介する形でそれぞれのブレードサーバがキーボード、マウスおよびモニタといった入出力デバイスと接続するようになっている。このようにこれらの提案は、１つの筐体に複数のサーバを組み込むことが前提となる技術である。このため、筐体に収容するサーバがブレードサーバでなければならないといったように、サーバの種類やこれらの配置に自由度がないという問題があった。
【０００６】
そこで本発明の目的は、サーバそれぞれがまとめて１つの筐体に収容されない状態でも、これらのサーバとキーボードやマウスなどの入出力デバイスとの配線を簡素化することのできるサーバ監視操作システムを得ることにある。
【課題を解決するための手段】
【０００７】
請求項１記載の発明では、（イ）１つのラック内に収容された複数のサーバと、（ロ）ラック内に収容され、前記した複数のサーバの監視や操作を行うための１組の入出力デバイスと、（ハ）前記した複数のサーバと１組の入出力デバイスの間に接続され、前記した複数のサーバから１組の入出力デバイスへの信号の集約と１組の入出力デバイスから前記した複数のサーバへの信号の分配を行う統合管理手段とをサーバ監視操作システムに具備させる。
【０００８】
すなわち本発明では、１つのラック内に複数のサーバを収容すると共に、このラックにこれら複数のサーバの監視や操作を行うための１組の入出力デバイスも収容し、前記した複数のサーバと１組の入出力デバイスを、同じくラック内に収容した統合管理手段で接続するようにしている。これにより、別々筐体に収容されたサイズの互いに異なる複数のサーバであってもキーボードやマウス等の入出力デバイスとの配線を簡素化することができる。
【０００９】
請求項２記載の発明では、（イ）１つのラック内に収容された複数のサーバと、（ロ）ラック内に収容され、前記した複数のサーバの監視や操作を行うための１組の入出力デバイスと、（ハ）前記した複数のサーバとは別に配置され、自装置および前記した複数のサーバから１組の入出力デバイスへの信号の集約と１組の入出力デバイスから自装置および前記した複数のサーバへの信号の分配を行う統合管理手段を内蔵した統合管理手段内蔵サーバとをサーバ監視操作システムに具備させる。
【００１０】
すなわち本発明では、１つのラック内に複数のサーバを収容すると共に、このラックに１組の入出力デバイスも収容している。請求項１記載の発明と異なるのは、複数のサーバの中の１つのサーバが統合管理手段を内蔵した統合管理手段内蔵サーバであることである。
【００１１】
請求項３記載の発明では、（イ）１つのラック内に収容された複数のサーバと、（ロ）前記した複数のサーバの監視や操作を行うための１組の入出力デバイスと、前記した複数のサーバと１組の入出力デバイスの間に接続され、前記した複数のサーバから１組の入出力デバイスへの信号の集約と１組の入出力デバイスから前記した複数のサーバへの信号の分配を行う統合管理手段とを備えたコンソールドロアとをサーバ監視操作システムに具備させる。
【００１２】
すなわち本発明では、１つのラック内に複数のサーバを収容すると共に、このラックにコンソールドロアを配置している。コンソールドロアには、１組の入出力デバイスと統合管理手段が配置されている。
【００１３】
以上のようなラックの外に統合管理手段と通信手段で接続され前記した複数のサーバの監視や操作を行う外部操作監視手段を配置して、監視や操作を二重化するようにしてもよい。また、前記した複数のサーバと統合管理手段は、共に動作状態でこれらの間のケーブルの抜き差しが可能なインターフェース回路を具備するようにすると、便利である。更に、統合管理手段は、前記した複数のサーバ内部の動作状態を監視したり制御するコントローラとしてのＢＭＣコントローラを具備することで、それぞれのサーバの同一の回路を簡略化あるいは省略することが可能になる。
【発明の効果】
【００１４】
以上説明したように本発明によれば、１つのラック内に複数のサーバを収容すると共に、ラック内にこれら複数のサーバの監視や操作を行うための１組の入出力デバイスも収容したので、統合管理手段の配置も相まって、システム全体の配線を簡素化できるだけでなく、使い勝手のよいシステムを構成することができる。しかも、１つの筐体に複数のサーバを収容する場合には、サイズが規格化された複数のブレードサーバを使用するのが通常であるが、本発明の場合にはそれぞれのサーバが別々の筐体に収容されていたり、サイズがそれぞれ異なっていてもよい。
【００１５】
また、１つのサーバが統合管理手段を備えていれば、システム独自の統合管理手段を用意する必要がないという効果もある。また、統合管理手段と入出力デバイスをラック内の１つのドロアに収容すれば、配線の手直しや入出力デバイスの入れ替えもスムーズに行うことができる。
【発明を実施するための最良の形態】
【００１６】
以下実施例につき本発明を詳細に説明する。
【実施例１】
【００１７】
図１は、本発明の一実施例におけるサーバ監視操作システムの構成の概要を表わしたものである。このサーバ監視操作システム１００では、それぞれ単一の筐体に収容された第１〜第８のサーバ１０１1〜１０１8を１つのラック１０２内に収容している。ラック１０２内には、これら第１〜第８のサーバ１０１1〜１０１8の入出力を統合して管理するための統合管理モジュール１０３と、第１〜第８のサーバ１０１1〜１０１8の間で共通使用される入出力デバイスとしての１組のモニタ１０４、キーボード１０５およびポインティングデバイスとしてのマウス１０６が配置されている。また、統合管理モジュール１０３に接続されたＬＡＮ（Local Area Network）ケーブル１０７には、遠隔操作用のクライアントコンピュータ１０８が接続されている。クライアントコンピュータ１０８は、モニタ１１１、キーボード１１２およびマウス１１３を備えている。
【００１８】
ラック１０２内の第１〜第８のサーバ１０１1〜１０１8は、それぞれのハードウェアの状態を監視するためのコンソール・ＢＭＣ（Baseboard Management Controller）回路１２１1〜１２１8を内蔵している。コンソール・ＢＭＣ回路１２１1〜１２１8は、従来のサーバと異なり、モニタ１０４、キーボード１０５およびマウス１０６のインターフェースをデコードする回路やＢＭＣコントローラを備えていない。図示しない各種のセンサからのエラー情報を収集してデコードする回路は従来と同様に備えている。
【００１９】
統合管理モジュール１０３は、第１〜第８のサーバ１０１1〜１０１8のそれぞれ対応するものと接続する第１〜第８のポート１２２1〜１２２8と、ＬＡＮケーブル１０７の一端を接続するための管理用ＬＡＮインターフェース（Ｉ／Ｆ）回路１２３と、モニタ１０４、キーボード１０５およびマウス１０６とそれぞれモニタケーブル１２８、キーボードケーブル１２９およびマウスケーブル１３０のうちの対応するものと接続するモニタインターフェース（Ｉ／Ｆ）回路１２４、キーボードインターフェース（Ｉ／Ｆ）回路１２５およびマウスインターフェース（Ｉ／Ｆ）回路１２６を備えている。第１〜第８のサーバ１０１1〜１０１8と第１〜第８のポート（Ｐｏｒｔ）１２２1〜１２２8の間は、それぞれ対応するもの同士が管理入出力ケーブル１２７1〜１２７8によって接続されている。
【００２０】
このような本実施例のサーバ監視操作システム１００で、システムの管理者はラック１０２内に配置されたモニタ１０４、キーボード１０５およびマウス１０６を用いて、同じくラック１０２内に配置された第１〜第８のサーバ１０１1〜１０１8の監視や操作を行うことができる。また、クライアントコンピュータ１０８を用いて、第１〜第８のサーバ１０１1〜１０１8を遠隔操作することができる。このように第１〜第８のサーバ１０１1〜１０１8に対する監視や操作のためのデバイスは、モニタ１０４、キーボード１０５およびマウス１０６と、クライアントコンピュータ１０８によって二重化されている。
【００２１】
しかも、ラック１０２内で、第１〜第８のサーバ１０１1〜１０１8とモニタ１０４、キーボード１０５およびマウス１０６は、統合管理モジュール１０３を介して接続されているので、配線はシンプルとなっている。しかも、第１〜第８のサーバ１０１1〜１０１8は、それぞれラック１０２内の適所に配置されていればよく、それぞれの筐体のサイズがまちまちであってもよい。
【００２２】
図２は、このようなサーバ監視操作システムを構成する第１のサーバの入出力回路部分の概要を表わしたものである。図１に示した第２〜第８のサーバ１０１2〜１０１8も入出力回路部分について基本的に第１のサーバ１０１1と同一の回路構成となっている。したがって、第２〜第８のサーバ１０１2〜１０１8の回路構成の図示とこれらの説明は省略する。
【００２３】
一例として示す第１のサーバ１０１1は、ＶＧＡ（Video Graphics Array）コントローラ１３１と、入出力（Ｉ／Ｏ）コントローラ１３２と、ＢＭＣコントローラ１３３を備えている。ＶＧＡコントローラ１３１は、モニタ信号線１３５によってモニタインターフェース（Ｉ／Ｆ）回路１３６と接続されると共に、コンソール・ＢＭＣ回路１２１1内の入力選択回路１４１および出力選択回路１４２と接続されている。入出力コントローラ１３２は、キーボード信号線１３７を介してキーボードインターフェース（Ｉ／Ｆ）回路１３８と接続されると共に、コンソール・ＢＭＣ回路１２１1内の入力選択回路１４１および出力選択回路１４２と接続されている。また、入出力コントローラ１３２は、マウス信号線１３９を介してマウスインターフェース（Ｉ／Ｆ）回路１４０と接続されると共に、コンソール・ＢＭＣ回路１２１1内の入力選択回路１４１および出力選択回路１４２と接続されている。ＢＭＣコントローラ１３３は、ＢＭＣ信号線１４３によって管理用ＬＡＮインターフェース（Ｉ／Ｆ）回路１４４と接続されると共に、コンソール・ＢＭＣ回路１２１1内の入力選択回路１４１および出力選択回路１４２と接続されている。
【００２４】
コンソール・ＢＭＣ回路１２１1は、入力選択回路１４１および出力選択回路１４２と、これらの出力側あるいは入力側に配置されたトライステートバッファ等の入出力バッファ回路１４６、１４７を介して管理入出力信号線１４８によって管理入出力インターフェース（Ｉ／Ｆ）回路１４９と接続されている。
【００２５】
図３は、統合管理モジュールの構成の概要を表わしたものである。統合管理モジュール１０３は、図１で説明した第１〜第８のポート１２２1〜１２２8に１つずつ対応して配置された第１〜第８のコンソール・ＢＭＣ回路１５１1〜１５１8を備えている。第１〜第８のコンソール・ＢＭＣ回路１５１1〜１５１8は、それぞれコンソール端子１５２とＢＭＣ端子１５３を備えている。
【００２６】
第１〜第８のコンソール・ＢＭＣ回路１５１1〜１５１8のコンソール端子１５２のそれぞれは、コンソール信号線１５４1〜１５４8によってコンソール切替回路１５５の一端に接続されている。コンソール切替回路１５５の他端は、モニタ信号線１５６によってモニタインターフェース回路１２４と接続され、キーボード信号線１５７によってキーボードインターフェース回路１２５に接続され、マウス信号線１５８によってマウスインターフェース回路１２６と接続されている。また、第１〜第８のコンソール・ＢＭＣ回路１５１1〜１５１8のＢＭＣ端子１５３のそれぞれは、ＢＭＣ信号線１６１1〜１６１8によって統合ＢＭＣ回路１６２の一端に接続され、統合ＢＭＣ回路１６２の他端は、管理用信号線１６３によって管理用ＬＡＮインターフェース回路１２３と接続されている。コンソール切替回路１５５と統合ＢＭＣ回路１６２の間には、コンソールリンク信号線１６４が接続されている。
【００２７】
統合ＢＭＣ回路１６２は、図１に示したラック１０２全体を管理する図示しないＢＭＣコントローラを備えている。本実施例のサーバ監視操作システム１００でＢＭＣコントローラは、ラック１０２内で統合ＢＭＣ回路１６２に存在している。このＢＭＣコントローラは、第１〜第８のコンソール・ＢＭＣ回路１５１1〜１５１8を経由して得られる第１〜第８のサーバ１０１1〜１０１8（図１）から送られてくる情報を基にして、これら第１〜第８のサーバ１０１1〜１０１8内の図示しないプロセッサや内部メモリ等のデバイスの監視のための各種センサ（図示せず）の出力をチェックして、ラック１０２全体を管理することになる。
【００２８】
このようなサーバ監視操作システム１００で、たとえば図２に示す第１のサーバ１０１1のＢＭＣコントローラ１３３は、この第１のサーバ１０１1内の監視状況をＢＭＣ信号線１４３によって管理用ＬＡＮインターフェース回路１４４とコンソール・ＢＭＣ回路１２１1に送信するようになっている。コンソール・ＢＭＣ回路１２１1は、図示しないエンコード回路によって図１に示したモニタ１０４、キーボード１０５およびマウス１０６の信号とＢＭＣ監視状況を管理入出力インターフェース回路１４９を介して図３に示す統合管理モジュール１０３側に送信し、統合管理モジュール１０３側でデコードさせるようになっている。また、図示しないデコード回路によってキーボード１０５およびマウス１０６の入力信号およびＢＭＣ制御信号をデコードするようになっている。
【００２９】
具体的には、ＶＧＡコントローラ１３１からモニタ信号が入力されると、ＢＭＣコントローラ１３３は前記したエンコード回路によってこれをデジタル信号に変換する。また、ＢＭＣコントローラ１３３は入出力コントローラ１３２から送られてきたキーボード信号とマウス信号およびＢＭＣコントローラ１３３から送られてきたＢＭＣ信号をそれぞれエンコード回路によってデジタル信号にエンコードする。そして、これらを管理入出力信号として管理入出力インターフェース回路１４９に送出することになる。
【００３０】
一方、図１に示したクライアントコンピュータ１０８から統合管理モジュール１０３に入力された管理入出力信号は、図示しないデコード回路によりキーボード信号、マウス信号、ＢＭＣ信号およびモニタ信号に変換する。そして、変換後のモニタ信号を第１〜第８のサーバ１０１1〜１０１8のうちの該当するものに送信させる。統合管理モジュール１０３は、ラック１０２内に収容されている第１〜第８のサーバ１０１1〜１０１8についてのコンソールおよびＢＭＣ情報を表示したり監視する機能を有している。
【００３１】
この統合管理モジュール１０３内のコンソール切替回路１５５は、第１〜第８のコンソール・ＢＭＣ回路１５１1〜１５１8のいずれかで生成されたコンソール信号を選択して、モニタインターフェース回路１２４を介して、ラック１０２内に収容されているモニタ１０４に表示する。また、キーボード１０５やマウス１０６の入力情報は、キーボードインターフェース回路１２５あるいはマウスインターフェース回路１２６から統合管理モジュール１０３内のコンソール切替回路１５５に入力され、第１〜第８のコンソール・ＢＭＣ回路１５１1〜１５１8のうちの該当する回路に送信される。
【００３２】
統合ＢＭＣ回路１６２は、第１〜第８のコンソール・ＢＭＣ回路１５１1〜１５１8のそれぞれによってデコードされたＢＭＣ信号を受信してラック１０２内に配置された第１〜第８のサーバ１０１1〜１０１8全体の統合監視を行い、その結果を管理用ＬＡＮインターフェース回路１２３およびＬＡＮケーブル１０７（図１）を介してクライアントコンピュータ１０８に伝達する。また、クライアントコンピュータ１０８から送られてくる制御信号を入力して、第１〜第８のコンソール・ＢＭＣ回路１５１1〜１５１8および第１〜第８のポート１２２1〜１２２8を介して第１〜第８のサーバ１０１1〜１０１8に送信し、これらの制御を行うようになっている。
【００３３】
このようなサーバ監視操作システム１００の動作を次に説明する。第１のサーバ１０１1を例に挙げる。図１に示す第１のサーバ１０１1のＶＧＡコントローラ１３１から出力されるモニタ信号は、コンソール・ＢＭＣ回路１２１1の図示しないエンコード回路によってアナログ・デジタル変換される。変換後のデジタル信号はエンコードされ、管理入出力信号として管理入出力ケーブル１２７1を介して統合管理モジュール１０３の第１のポート１２２1に送出される。第１のポート１２２1では、送られてきた信号を第１のコンソール・ＢＭＣ回路１５１1に入力する。第１のコンソール・ＢＭＣ回路１５１1から出力される信号は、他の第２〜第８のコンソール・ＢＭＣ回路１５１2〜１５１8から出力される信号と共にコンソール切替回路１５５に入力される。コンソール切替回路１５５は、第１〜第８のサーバ１０１1〜１０１8のうちのラック１０２内のキーボード１０５によって選択されたＶＧＡ信号を選択して、モニタインターフェース回路１２４を介してモニタ１０４に送出し、これに視覚的な表示を行わせる。
【００３４】
また、モニタ信号はコンソール切替回路１５５から統合ＢＭＣ回路１６２にも入力される。統合ＢＭＣ回路１６２に入力されたモニタ信号は、管理用ＬＡＮインターフェース回路１２３から図２に示すＬＡＮケーブル１０７を介してクライアントコンピュータ１０８に送出される。これにより、クライアントコンピュータ１０８のモニタ１１１にも、第１のサーバ１０１1のＶＧＡコントローラ１３１から出力されるモニタ信号が表示されることになる。第２〜第８のサーバ１０１2〜１０１8のＶＧＡコントローラ１３１から出力されるモニタ信号についても同様である。
【００３５】
次に、図２に示す第１のサーバ１０１1の入出力コントローラ１３２から出力されるキーボード信号あるいはマウス信号は、コンソール・ＢＭＣ回路１２１1に入力され、アナログ・デジタル変換される。変換後のデジタル信号はエンコードされ、管理入出力信号として管理入出力ケーブル１２７1を介して統合管理モジュール１０３の第１のポート１２２1に送出される。第１のポート１２２1は、送られてきたキーボード信号あるいはマウス信号を第１のコンソール・ＢＭＣ回路１５１1に入力する。第１のコンソール・ＢＭＣ回路１５１1に入力されたこれらの信号は、第２〜第８のコンソール・ＢＭＣ回路１５１2〜１５１8から出力されるキーボード信号あるいはマウス信号と共にコンソール切替回路１５５に入力される。コンソール切替回路１５５は、第１〜第８のサーバ１０１1〜１０１8のうちの選択されたキーボード信号あるいはマウス信号を選択して、キーボード１０５あるいはマウス１０６に送出する。
【００３６】
また、図１に示したキーボード１０５あるいはマウス１０６の操作によってキーボード信号あるいはマウス信号が出力された場合、これらの信号は図３に示すキーボードインターフェース回路１２５あるいはマウスインターフェース回路１２６を介して統合管理モジュール１０３内のコンソール切替回路１５５に入力される。コンソール切替回路１５５は、第１〜第８のコンソール・ＢＭＣ回路１５１1〜１５１8のうちの該当する回路にキーボード信号あるいはマウス信号を送出する。
【００３７】
ここで第１のコンソール・ＢＭＣ回路１５１1にキーボード信号あるいはマウス信号が送出されたとする。第１のコンソール・ＢＭＣ回路１５１1は、送出されてきたキーボード信号あるいはマウス信号をエンコードし、管理入出力信号を生成する。そしてこの管理入出力信号を第１のポート１２２1から図２に示す第１のサーバ１０１1に送出する。この管理入出力信号は、管理入出力インターフェース回路１４９を介してコンソール・ＢＭＣ回路１２１1内に入力され、デコードされてキーボード信号あるいはマウス信号が生成される。生成されたキーボード信号あるいはマウス信号は、入出力コントローラ１３２に送出される。
【００３８】
この第１のサーバ１０１1の入出力コントローラ１３２に送出されたキーボード信号あるいはマウス信号は、図３に示すコンソールリンク信号線１６４を介して統合ＢＭＣ回路１６２にも送出される。統合ＢＭＣ回路１６２は、このキーボード信号あるいはマウス信号を管理用ＬＡＮインターフェース回路１２３およびＬＡＮケーブル１０７を介してクライアントコンピュータ１０８に送出する。クライアントコンピュータ１０８側ではこれらの送信されてきた信号に対して、そのキーボード１１２およびマウス１１３を用いることで、第１のサーバ１０１1を同様に操作することができる。第２〜第８のサーバ１０１2〜１０１8についても同様である。
【００３９】
一方、たとえば第１のサーバ１０１1のＢＭＣコントローラ１３３から出力されるＢＭＣ信号は、コンソール・ＢＭＣ回路１２１1内の前記したエンコード回路によりエンコードされ、管理入出力信号として管理入出力インターフェース回路１４９から統合管理モジュール１０３に送信される。統合管理モジュール１０３は、第１〜第８のサーバ１０１1〜１０１8から送られてきた管理入出力信号を受信すると、第１〜第８のコンソール・ＢＭＣ回路１５１1〜１５１8でこれら受信した管理入出力信号をデコードする。そしてこれにより生成されたそれぞれのＢＭＣ信号を、第１〜第８のコンソール・ＢＭＣ回路１５１1〜１５１8のＢＭＣ端子１５３から統合ＢＭＣ回路１６２に送出することになる。統合ＢＭＣ回路１６２は、ラック１０２内の第１〜第８のサーバ１０１1〜１０１8の状態の監視および制御を行う。すなわち統合ＢＭＣ回路１６２は、管理用信号線１６３に接続された管理用ＬＡＮインターフェース回路１２３を介して図１に示したクライアントコンピュータ１０８と接続され、監視結果をこのクライアントコンピュータ１０８のモニタ１１１に表示すると共に、キーボード１１２およびマウス１１３によって制御を受けることができる。
【００４０】
以上説明したように、本実施例によれば、ラック１０２内に個々のサーバ１０１1〜１０１8と入出力デバイスとしてのモニタ１０４、キーボード１０５およびマウス１０６と共に統合管理モジュール１０３を配置したので、ラック１０２自体で各サーバ１０１1〜１０１8の監視や操作を行うことができ、しかもモニタ切替器等の入出力デバイスの切替器が不要である。また、ラック１０２内では個々のサーバ１０１1〜１０１8と統合管理モジュール１０３の間でサーバ１０１の数だけの管理入出力ケーブル１２７1〜１２７8と、統合管理モジュール１０３とモニタ１０４、キーボード１０５およびマウス１０６の間を結ぶ１組のモニタケーブル１２８、キーボードケーブル１２９およびマウスケーブル１３０を必要とするだけなので、配線がシンプルとなり、サーバ１０１の数の増加に十分対応することができる。また、ラック１０２内にサーバ１０１1〜１０１8を配置するので、これらはブレードサーバに限定されず、自由な組み合わせでサーバ監視操作システム１００を構成することができる。
【００４１】
しかも、図２に示す管理入出力インターフェース回路１４９と図３に示す第１のポート１２２1を接続する管理入出力ケーブル１２７1の図示しないコネクタは、パーソナルコンピュータに用いられるＵＳＢ（Universal Serial Bus）コネクタのように、第１のサーバ１０１1および統合管理モジュール１０３が共に動作状態でも抜き差しできるようになっている。この結果、統合管理モジュール１０３が常時動作している状態で、図１に示した第１〜第８のサーバ１０１1〜１０１8のうちのいずれかを交換したり、第１〜第８のポート１２２1〜１２２8の数の範囲内で増設することができる利点がある。
【００４２】
更に実施例ではサーバ１０１1〜１０１8の監視や操作をラック１０２内のモニタ１０４、キーボード１０５およびマウス１０６で行うだけでなく、ＬＡＮケーブル１０７に接続されたクライアントコンピュータ１０８でも行うことができる。このように監視や操作のための手段を二重化することで、サーバ監視操作システム１００の信頼性を高めることができる。
【００４３】
＜発明の変形例＞
【００４４】
図４は、本発明の変形例におけるサーバ監視操作システムの構成を表わしたものである。図４で図１と同一部分には同一の符号を付しており、これらの説明を適宜省略する。この変形例のサーバ監視操作システム１００Ａで、第２〜第８のサーバ１０１2〜１０１8は、実施例と同一の構成となっている。これに対して第１のサーバ２０１は、実施例で説明したと同一のサーバ１０１1としての構成に、図３に詳細に示した統合管理モジュール１０３としての構成を加えた形となっている。
【００４５】
このため、第１のサーバ２０１には、図２に示した管理入出力インターフェース回路１４９と図３に示した第１のポート１２２1を接続する管理入出力ケーブル１２７1は存在せず、図示しない基板上には管理入出力インターフェース回路１４９と第１のポート１２２1に相当する回路とこれらを接続する基板パターンが配置されている。また、この変形例では、第１のサーバ２０１の筐体のサイズが実施例の第１のサーバ１０１1のサイズと同一であると仮定すると、実施例で統合管理モジュール１０３がその図示しない筐体に収容されてラック１０２内に配置されていたスペースを省略することができる。したがって、この余剰スペースを他の増設される図示しないサーバや同じく図示しないＵＰＳ（Uninterruptible Power Supply）等の設備に使用することができる。
【００４６】
なお、この変形例では統合管理モジュール１０３を第１のサーバ２０１に組み込んだが、図１に示すモニタ１０４、キーボード１０５およびマウス１０６を組み込んだ図示しないコンソールドロア内にこの統合管理モジュール１０３を組み込むようにしてもよい。これによっても統合管理モジュール１０３の配置されていたスペースを空きスペースとして利用することができる。
【００４７】
以上説明した実施例および変形例では、第１〜第８のサーバ１０１1〜１０１8の操作をキーボード１０５、１１２とマウス１０６、１１３により行ったが、他の入力デバイスを使用してもよいことは当然である。また、ラック１０２にＬＡＮケーブル１０７を介して遠隔操作用のクライアントコンピュータ１０８を接続したが、遠隔操作の手段はこれ以外の通常使用される有線、無線の各手段を適用できることは当然である。更に実施例および変形例ではラック１０２に第１〜第８のサーバ１０１1〜１０１8として８台のサーバを収容したが、台数がこれに限定されるものでないことも当然である。
【図面の簡単な説明】
【００４８】
【図１】本発明の一実施例におけるサーバ監視操作システムの構成の概要を表わしたシステム構成図である。
【図２】本実施例における第１のサーバの入出力回路部分の概要を表わしたブロック図である。
【図３】本実施例の統合管理モジュールの構成の概要を表わしたブロック図である。
【図４】本発明の変形例におけるサーバ監視操作システムの構成の概要を表わしたシステム構成図である。
【符号の説明】
【００４９】
１００、１００Ａ  サーバ監視操作システム
１０１1〜１０１8  第１〜第８のサーバ
１０２  ラック
１０３  統合管理モジュール
１０４、１１１  モニタ
１０５、１１２  キーボード
１０６、１１３  マウス
１０７  ＬＡＮケーブル
１０８  クライアントコンピュータ
１２１  コンソール・ＢＭＣ回路
１２７  管理入出力ケーブル
１２８  モニタケーブル
１２９  キーボードケーブル
１３０  マウスケーブル
１３１  ＶＧＡコントローラ
１３２  入出力コントローラ
１３３  ＢＭＣコントローラ
１５１1〜１５１8  第１〜第８のコンソール・ＢＭＣ回路
１５５  コンソール切替回路
１６２  統合ＢＭＣ回路
１６４  コンソールリンク信号線
【図１】
2008129869.tif 000003
【図２】
2008129869.tif 000004
【図３】
2008129869.tif 000005
【図４】
2008129869.tif 000006